(57)【要約】【課題】照明装置における、導光体の端部を装着部品の端部まで配置できるようにする。【解決手段】導光体１１０に対する光の入射位置の長手方向と角度をなすように導光体１１０に接続されている導入部１２１，１２２が、長手方向端部に設けられた光源１３１，１３２からの光を導光体１１０に対して入射し、導光体１１０内に設けられた凹部１１１が、導入部１３１，１３２から導光体１１０内へ導入された光を導光体１１０の側面方向へ反射する。【選択図】図１
2011129250.tif 000002
【特許請求の範囲】
【請求項１】
導光体に対して光源から光を入射することにより、前記導光体側面から光を出射する照明装置において、
長手方向端部に設けられた前記光源からの光を前記導光体に対して入射するために設けられ、前記導光体に対する光の入射位置の長手方向と角度をなすように前記導光体に接続されている導入部と、
前記導光体内に設けられ、前記導入部から前記導光体内へ導入された光を前記導光体の側面方向へ反射する反射体と、
を備えることを特徴とする照明装置。
【請求項２】
前記導入部の長手方向端部に設けられた前記光源の一部に換えて反射部が設けられており、前記反射部が設けられた導入部に入射された光が前記反射部で反射することにより、前記導光体に導入されることを特徴とする請求項１記載の照明装置。
【請求項３】
前記導入部端部が前記導光体端部に、両端部が共有されるように設けられ、前記導入部および前記導光体の共有端部に前記反射部が設けられていることを特徴とする請求項２記載の照明装置。
【請求項４】
前記導入部が前記導光体の長手方向の途中に複数設けられていることを特徴とする請求項１記載の照明装置。
【請求項５】
前記導光体の長手方向端部断面が、前記光源から入射された光を透過することを特徴とする請求項１記載の照明装置。
【請求項６】
導光体に対して光源から光を入射することにより、前記導光体側面から光を出射する光の出射方法において、
前記導光体に対する光の入射位置の長手方向と角度をなすように前記導光体に接続されている導入部が、その長手方向端部に設けられた前記光源から前記導光体に対して光を入射し、
前記導光体内に設けられた反射体が、前記導入部から前記導光体内へ導入された光を前記導光体の側面方向へ反射することを特徴とする光の出射方法。
【発明の詳細な説明】
【技術分野】
【０００１】
本発明は、照明装置および光の出射方法に関し、特に導光体に対して光源から光を入射することにより、前記導光体側面から光を出射する照明装置および光の出射方法に関する。
【背景技術】
【０００２】
近年、導光体に光を入射することにより導光体を光らせ、自動車のイルミネーションなどに用いられることがある。
【０００３】
図１２は、従来の導光体を用いた照明装置の構成を示す概略図である。
導光体１１０には、その長手方向端部からＬＥＤ（Light Emitting Diode）などの光源１３０を用いて光を直接入射する。
【０００４】
導光体１１０の内部には、長手方向に沿って凹部１１１が設けられており、光源１３０から入射された光がその凹部１１１に反射して、導光体１１０の側面方向に光が出射されることにより、導光体１１０の全体が光る。
【０００５】
このような照明装置は、たとえばスカッフプレートやサイドターンシグナルランプなどに用いられる（たとえば、特許文献１および２参照）。
【特許文献１】特開２００７−１４５０８２号公報
【特許文献２】特開２００７−２５０２９０号公報
【発明の開示】
【発明が解決しようとする課題】
【０００６】
しかし、照明装置の配置態様に限界があるという問題があった。
図１３は、従来の導光体を用いた照明装置をケースに収納した状態を示す図である。
図１３に示すように、照明装置はケース１４０に収納されて、照明ユニットとして取り扱われる。
【０００７】
しかし、導光体１１０の長手方向端部から光を入射しているため、ケース１４０に収納してユニット化したとき、導光体１１０の長手方向端部には光源１３０を収納するための張り出し部１４１を設けなくてはならない。
そうすると、照明ユニットを設置するときに設置上の制約が生じる。
以下、照明ユニットの適用例を用いて具体的に説明する。
【０００８】
図１４は、従来の照明ユニットの適用例を示す図であり、図１４（Ａ）は、照明ユニットの部品への適用例を示す図であり、図１４（Ｂ）は、従来の照明ユニットを取り付けたとした場合の適用想定図である。
【０００９】
図１４（Ａ）に示すように、照明ユニットの取り付けを所望する部品２００において、照明ユニットの導光体部１１０の長手方向端部に光源１３０を設置するスペースがないときがある。
【００１０】
図１４（Ｂ）に示すように、このような部品２００に対して従来の照明ユニットを取り付けようとすると、部品２００の外側に張り出し部１４１を設けないといけないという問題がある。
もしくは、張り出し部１４１を設けることができないときには、部品２００の端部まで導光体１１０を配置する方法をあきらめざるを得ないという問題がある。
【００１１】
本発明はこのような点に鑑みてなされたものであり、導光体の端部を装着部品の端部まで配置できる照明装置および光の出射方法を提供することを目的とする。
【課題を解決するための手段】
【００１２】
本発明では上記問題を解決するために、導光体に対して光源から光を入射することにより、前記導光体側面から光を出射する照明装置において、長手方向端部に設けられた前記光源からの光を前記導光体に対して入射するために設けられ、前記導光体に対する光の入射位置の長手方向と角度をなすように前記導光体に接続されている導入部と、前記導光体内に設けられ、前記導入部から前記導光体内へ導入された光を前記導光体の側面方向へ反射する反射体とを備えることを特徴とする照明装置が提供される。
【００１３】
これにより、導光体に対する光の入射位置の長手方向と角度をなすように導光体に接続されている導入部が、長手方向端部に設けられた光源からの光を導光体に対して入射し、導光体内に設けられた反射体が、導入部から導光体内へ導入された光を導光体の側面方向へ反射する。
【００１４】
また、本発明では、導光体に対して光源から光を入射することにより、前記導光体側面から光を出射する光の出射方法において、前記導光体に対する光の入射位置の長手方向と角度をなすように前記導光体に接続されている導入部が、その長手方向端部に設けられた前記光源から前記導光体に対して光を入射し、前記導光体内に設けられた反射体が、前記導入部から前記導光体内へ導入された光を前記導光体の側面方向へ反射することを特徴とする光の出射方法が提供される。
【００１５】
これにより、導光体に対する光の入射位置の長手方向と角度をなすように導光体に接続されている導入部が、長手方向端部に設けられた光源からの光を導光体に対して入射し、導光体内に設けられた反射体が、導入部から導光体内へ導入された光を導光体の側面方向へ反射する。
【発明の効果】
【００１６】
本発明の照明装置および光の出射方法によれば、導光体の長手方向と角度をなして接続される導入部を介して、光源から出射された光が導光体に対して入射されるので、導光体の長手方向端部に光源を設けることなく導光体を光らせることができる。
【００１７】
つまり、光源を設ける位置が導光体の長手方向端部に限定されないので、装着部品に対する配置に合わせて、導光体の所定の位置に導入部を設ければよいことになるので、装着部品に対する配置の自由度が向上する。
【００１８】
また、光源を設ける位置が導光体の長手方向端部に限定されないので、高い光度が要求されたときであっても、単価が高い、光度が高い光源を用いなくても、導入部を増やせばよいことになるので、コストが低減する。
【発明を実施するための最良の形態】
【００１９】
以下、本発明の実施の形態を図面を参照して詳細に説明する。
〔第１の実施の形態〕
図１は、本実施の形態の照明装置の構成を示す図である。
図１に示すように、導光体部１１０の長手方向中程の側面には、導光体部１１０の長手方向と角度をなす導入部１２１，１２２が設けられている。
【００２０】
導入部１２１，１２２の長手方向端部には、光源１３１，１３２がそれぞれ設けられている。
光源１３１から照射された光は、導入部１２１を介して導光体部１１０に導入される。
【００２１】
導光体部１１０および導入部１２１，１２２は、透明な材料であればよく、アクリル樹脂、ポリカーボネート樹脂、シリコーン樹脂、シクロポリオレフィン樹脂などの合成樹脂からなる柱状物や、ガラス棒などが用いられ、その中でも透明性、加工の容易さなどの点からアクリル柱状物が好ましい。
【００２２】
導光体部１１０に導入された光は、導光体部１１０の内壁で全反射しながら相対的に導入方向に進行する。
つまり、導入部１２１から導入された光は、導光体部１１０の図１に示す左側である導光体左側部１１０Ａを進行することになる。
【００２３】
このとき、導光体左側部１１０Ａ内に設けられた凹部１１１の反射面は、導入されてくる光の進行方向に対向するように設けられており、進行されてくる光を導光体左側部１１０Ａの側面に反射することによって導光体左側部１１０Ａが光ることになる。
【００２４】
一方で、導入部１２２から導入された光も、導入部１２１から導入された光と同様に、導光体部１１０の図１に示す右側である導光体右側部１１０Ｂを進行し、導光体右側部１１０Ｂ内に設けられた凹部１１１に反射することによって導光体右側部１１０Ｂが光る。
【００２５】
この凹部１１１は、たとえば導光体部１１０の側面外側に設けられた切り欠きであって、導入部１２１，１２２から導入されてくる光が、導光体部１１０の側面方向に反射するように、形成された切り欠きの形状によって反射面の角度が調整される。
【００２６】
このような構成により、導光体部１１０の長手方向端部に光源を設けることなく導光体部１１０の全側面を光らせることができ、照明装置としての機能を発揮する。
また、導光体部１１０の長手方向端部に光源を設けなくてもよいので、部品の端部近傍にまで導光体部１１０の長手方向端部を配置することができる。
【００２７】
なお、凹部１１１は、図１における左右方向両面に反射面を設ける構成としてもよい。特に、導光体部１１０の導入部１２１，１２２との各接続部分間においては、各導入部１２１，１２２から導入された左右両方向から進行してくる光を効率よく反射させることが可能となる。
【００２８】
また、導光体部１１０の長手方向端部で光が全反射することによって、導入方向とは逆方向に光が進行する場合においても、凹部１１１の左右方向両面に反射面を設けることは有用である。
【００２９】
さらに、凹部１１１の大きさ、つまり切り欠きの深さは、反射させたい光量に合わせて適宜調整することが可能である。
一般的に、導光体部１１０の長手方向端部に近づくにつれて、導入された光は減衰することから、その減衰量に合わせて、端部に近づくにつれて反射面を大きく、つまり切り欠きの深さを深くすることにより、導光体部１１０の長手方向側面が均等に光るようにするなどの調整が考えられる。
【００３０】
図２は、本実施の形態の照明ユニットをケースに収納した状態を示す図である。
照明ユニット１００は、導光体部１１０、導入部１２１，１２２、および光源１３１，１３２をケース１４０内に収納することにより構成されている。
【００３１】
図３は、本実施の形態の照明ユニットを部品に設置したときの設置例を示す図である。
図３に示すように、部品２００に照明ユニット１００を設置している。
このとき、部品２００の端部近傍まで導光体部１１０の長手方向端部を配置することができる。
これは、様々なものに応用可能である。次に、ドアミラーに設置した場合について説明する。
【００３２】
図４は、本実施の形態の照明ユニットのドアミラーへの設置例を示す図である。
自動車のドアミラー３００には、方向指示のためのドアミラーターンシグナルが設けられることがある。
【００３３】
このとき、本実施の形態の照明ユニット１００によれば、ドアミラー３００の端部まで寄せて配置することができる。
なお、導光体部１１０は、必ずしも湾曲している必要はなく、直線形状であっても本発明を適用することが可能である。
【００３４】
次に、導光体部１１０が直線形状である照明ユニット１００の適用例を説明する。
図５は、本実施の形態の照明ユニットのグラブボックスへの設置例を示す図である。
グラブボックスの内部上部には、夜間にグラブボックス内を照らすように照明器具が備えられていることが多い。
【００３５】
このような照明器具として、本実施の形態の照明ユニット１００を用いることも有用である。
より具体的には、たとえば豆電球がグラブボックス４００の中央上部に備えられているような場合は、グラブボックス４００内部における左右端部に光が届きにくく、中のものが見えにくいことがある。
【００３６】
しかし、本実施の形態の照明ユニット１００によれば、光が導光体部１１０の側面全体から放射されるので、グラブボックス４００の左右端部にも光が届きやすくなる。
また、左右端部に対しても光が届くように設置したいという要請がある以上、なるべく左右端まで導光体部１１０が配置されるように設置したいという要請が出てくる。
【００３７】
このときでも、本実施の形態の照明ユニット１００は、光源が導光体部１１０の長手方向端部に設ける必要がないので、その要請に応えることになる。
このように、導光体部１１０の長手方向中程に設けた導入部１２１，１２２から光を導入することにより、照明ユニット１００を部品の端部に寄せて設置することが可能となる。
【００３８】
また、複数の光源を用いることが可能となるので、端部が暗くなることを防ぐと同時に、１つの光源としては光度が低いが安価な光源を用いることが可能となる。
また、導光体部１１０の長手方向端部に光源を設ける必要がなくなるので、配置のアレンジの自由度が向上する。
【００３９】
なお、これまで導光体部１１０の長手方向中程に導入部１２１，１２２を設け、それぞれの端部に光源１３１，１３２を設ける照明装置について説明したが、複数の導入部にそれぞれ光源を設ける必要は必ずしもあるわけではない。
【００４０】
次に、導光体部１１０に複数の導入部を設けるが、それぞれの導入部に光源を設ける必要がない照明装置について説明する。
【００４１】
〔第２の実施の形態〕
次に、本発明の第２の実施の形態について説明する。本実施の形態の照明装置は、導光体部１１０に対する光源からの光の入射方法が異なる以外は、第１の実施の形態と同様である。このため、上記第１の実施の形態とほぼ同様の構成部分については同一の符号を付すなどして適宜その説明を省略する。
【００４２】
図６は、本実施の形態の照明装置の構成を示す図である。
図６に示すように、導光体部１１０の長手方向の図６における左より中程には、導光体部１１０の長手方向と角度をなす導入部２１２１，２１２２が設けられている。
【００４３】
導入部２１２１の長手方向端部には、光源１３０が設けられており、導入部２１２２の長手方向端部には、反射部１５０が設けられている。
光源１３０から照射された光は、導入部２１２１を介して導光体部１１０に導入されるとともに、導入部２１２２にも導入される。
【００４４】
導光体部１１０に導入された光は、導光体部１１０の内壁で全反射しながら相対的に導入方向に進行する。
つまり、導入部２１２１から導入された光は、導光体部１１０の図６に示す右側である導光体右側部１１０Ｃを進行することになる。
【００４５】
このとき、導光体右側部１１０Ｃ内に設けられた凹部１１１の反射面は、導入されてくる光の進行方向に対向するように設けられており、進行されてくる光を導光体右側部１１０Ｃの側面に反射することによって導光体右側部１１０Ｃが光ることになる。
【００４６】
一方、光源１３０から導入部２１２１を介して導入部２１２２に導入された光は、反射部１５０で反射し、再度導入部２１２２を通って導光体左側部１１０Ｄへ導入される。
【００４７】
そして、導光体部１１０に導入された光は、導光体部１１０の内壁で全反射しながら相対的に導入方向に進行する。
つまり、導入部２１２２から導入された光は、導光体部１１０の図６に示す左側である導光体左側部１１０Ｄを進行することになる。
【００４８】
このとき、導光体左側部１１０Ｄ内に設けられた凹部１１１の反射面は、導入されてくる光の進行方向に対向するように設けられており、進行されてくる光を導光体左側部１１０Ｄの側面に反射することによって導光体左側部１１０Ｄが光ることになる。
以上に示したように、導光体部１１０の全側面が光ることによって照明装置としての機能を発揮する。
【００４９】
本実施の形態として、反射部１５０を設けて間接的に導光体部１１０へ光を導入する方法を示したが、この反射部１５０を設けて光を導入するときは、導光体部１１０の長手方向中程に設ける必要は必ずしもない。
次に、導光体部１１０の長手方向端部に反射部１５０を設けた照明装置について説明する。
【００５０】
〔第３の実施の形態〕
次に、本発明の第３の実施の形態について説明する。本実施の形態の照明装置は、反射部１５０を導入部の導光体部１１０の端部に設けていることが異なる以外は、第２の実施の形態と同様である。このため、上記第２の実施の形態とほぼ同様の構成部分については同一の符号を付すなどして適宜その説明を省略する。
【００５１】
図７は、導光体部の長手方向端部に反射部を設けた照明装置の構成を示す図である。
図７に示すように、導光体部１１０の長手方向端部には、反射部１５０が設けられており、かつ長手方向と角度をなす導入部３１２０が設けられている。
【００５２】
導入部３１２０の長手方向の一方の端部には光源１３０が設けられており、導入部３１２０の長手方向のもう一方の端部には反射部１５０が設けられている。
光源１３０から照射された光は、導入部３１２０を介して反射部１５０に反射し、導光体部１１０に導入される。
【００５３】
導光体部１１０に導入された光は、導光体部１１０の内壁で全反射しながら相対的に導入方向に進行する。
つまり、導入部３１２０から導入された光は、導光体部１１０を進行することになる。
【００５４】
このとき、導光体部１１０内に設けられた凹部１１１の反射面は、導入されてくる光の進行方向に対向するように設けられており、進行されてくる光を導光体部１１０の側面に反射することによって導光体部１１０が光ることになる。
以上に示したように、導光体部１１０の全側面が光ることによって照明装置としての機能を発揮する。
【００５５】
このような構成により、照明装置における、導光体部の長手方向端部側に光源１３０を設けるスペースを確保することなく導光体部１１０の全側面を光らせることができるようになる。
【００５６】
このような、導光体部１１０の長手方向端部に直接光源を配置しなくても導光体部１１０の全側面を光らせることができるという考え方に基づけば、照明装置に求められる光量や、光らせる場所を変えるなどの要請に応えることができるように様々な導入部の設置が考えられる。
次に、導光体部１１０に３つ以上の導入部を設けた照明装置について説明する。
【００５７】
〔第４の実施の形態〕
次に、本発明の第４の実施の形態について説明する。本実施の形態の照明装置は、導光体部１１０の中程に導入部を３つ以上設けることが異なる以外は、第１の実施の形態と同様である。このため、上記第１の実施の形態とほぼ同様の構成部分については同一の符号を付すなどして適宜その説明を省略する。
【００５８】
図８は、本実施の形態の照明装置の構成を示す図である。
図８に示すように、導光体部１１０の長手方向中程の側面には、その長手方向と角度をなす導入部４１２１，４１２２，４１２３，４１２４が設けられている。
【００５９】
導入部４１２１，４１２２，４１２３，４１２４の長手方向端部には、光源１３０がそれぞれ設けられている。
光源１３０から照射された光は、導入部４１２１，４１２２，４１２３，４１２４をそれぞれ介して導光体部１１０に導入される。
【００６０】
導光体部１１０に導入された光は、上述の実施の形態と同様に導光体部１１０の内壁で全反射しながら相対的に導入方向に進行し、導光体部１１０の内部に設けられた反射部１５０に反射することによって導光体部１１０の側面に反射し、導光体部１１０の全側面が光るようになっている。
【００６１】
このような構成により、導光体部１１０の長手方向端部に光源を設けることなく導光体部１１０の全側面を光らせることができ、照明装置としての機能を発揮する。
また、導光体部１１０の長手方向端部に光源を設けなくてもよいので、部品の端部近傍にまで導光体部１１０の長手方向端部を配置することができる。
【００６２】
また、導光体部１１０の部分ごとに光る光量を調整したり、光源１３０の色を変えることによって部分ごとにさまざまなグラデーションを表現することができる。
また、照明装置として高い光度が求められているときに、高い光度の光源１３０を用いなくともその要請に応じることができる。
【００６３】
また、高い光度の光源の単価が高く、低い光度の光源の単価を複数用いてもまだ安価である場合も有効な方法となる。
以上のように、多数の光源を用いて照明装置を構成してもよくなる。
このとき、部分によっては高い光度を要求されないときは、さらに一部の光源を、光源を用いるよりも安価に構成できる反射部に置き換えることも考えられる。
【００６４】
〔第５の実施の形態〕
次に、本発明の第５の実施の形態について説明する。本実施の形態の照明装置は、複数設けられた光源の一部を反射部に置き換えることが異なる以外は、第４の実施の形態と同様である。このため、上記第４の実施の形態とほぼ同様の構成部分については同一の符号を付すなどして適宜その説明を省略する。
【００６５】
図９は、一部の光源を反射部に置き換えた照明装置の構成を示す図である。
図９に示すように、導光体部５１１０の長手方向中程の側面には、その長手方向と角度をなす導入部５１２１，５１２２，５１２３，５１２４が設けられている。
【００６６】
導入部５１２１，５１２３，５１２４の長手方向端部には光源１３０がそれぞれ設けられており、導入部５１２２の長手方向端部には反射部１５０が設けられている。
光源１３０から照射された光は、導入部５１２１，５１２３，５１２４をそれぞれ介して導光体部１１０に導入される。
【００６７】
導光体部１１０に導入された光は、上述の実施の形態と同様に導光体部１１０の内壁で全反射しながら相対的に導入方向に進行し、導光体部１１０の内部に設けられた反射部１５０に反射することによって導光体部１１０の側面に反射し、導光体部１１０の側面が光るようになっている。
【００６８】
このとき、導入部５１２１から導光体部１１０に導入された光は、導入部５１２２を介して反射部１５０に反射し、導入部５１２２から導光体部１１０へ導入される。そして、導入された光は、上述のように導光体部１１０の側面に反射し、導光体部１１０の側面が光るようになっている。
【００６９】
このような構成により、導光体部１１０の長手方向端部に光源を設けることなく導光体部１１０の全側面を光らせることができ、照明装置としての機能を発揮する。
また、導光体部１１０の長手方向端部に光源を設けなくてもよいので、部品の端部近傍にまで導光体部１１０の長手方向端部を配置することができる。
【００７０】
また、導光体部１１０の一部分が長い場合（たとえば、図９におけるＬ部）であっても、複数の光源を用いることができるので、導光体部１１０の端部の光度が不足することなく、導光体部１１０の全側面をまんべんなく高い光度で光らせることが可能となる。
【００７１】
いままで説明してきたように光源から導入された光は導光体部１１０の側面を光らせていたが、導光体部１１０の端部へも光を出射するようにしてもよい。
以下、導光体部１１０の端部へも光を出射する照明装置について説明する。
【００７２】
〔第６の実施の形態〕
次に、本発明の第６の実施の形態について説明する。本実施の形態の照明装置は、導光体部１１０の端部へも光を出射することが異なる以外は、第１の実施の形態と同様である。このため、上記第１の実施の形態とほぼ同様の構成部分については同一の符号を付すなどして適宜その説明を省略する。
【００７３】
図１０は、本実施の形態の照明ユニットをドアミラーに適用した例を示す図である。
図１０に示すように、本実施の形態の照明ユニット６１００をドアミラー３００に適用している。
【００７４】
上述のように、光源１３０から導入部を介して導光体部６１１０へ導入された光は、反射部により反射され、導光体部６１１０の側面へ反射されるとともに、導光体部６１１０の長手方向へ端部から出射される。
導光体部６１１０の端部からの光の出射については、導光体部６１１０の断面図を用いて説明する。
【００７５】
図１１は、本実施の形態の照明ユニットにおける導光体部の側方断面図である。
図１１に示すように、上述のように、光源１３０から導入部を介して導光体部６１１０へ導入された光は、導光体部６１１０の内部に設けられた凹部１１１により反射され、レンズ６１１１を介して導光体部６１１０の側面（図１１における上方）へ反射されるとともに、導光体部６１１０の長手方向へ端部６１１２から出射される。
【００７６】
このような構成により、導光体部６１１０の側面が光るとともに、導光体部６１１０の端部からも光が出射されるので、加飾発光とターンシグナルとしての機能性を併せ持つ照明装置として用いることが可能となる。
【図面の簡単な説明】
【００７７】
【図１】本実施の形態の照明装置の構成を示す図である。
【図２】本実施の形態の照明ユニットをケースに収納した状態を示す図である。
【図３】本実施の形態の照明ユニットを部品に設置したときの設置例を示す図である。
【図４】本実施の形態の照明ユニットのドアミラーへの設置例を示す図である。
【図５】本実施の形態の照明ユニットのグラブボックスへの設置例を示す図である。
【図６】本実施の形態の照明装置の構成を示す図である。
【図７】導光体部の長手方向端部に反射部を設けた照明装置の構成を示す図である。
【図８】本実施の形態の照明装置の構成を示す図である。
【図９】一部の光源を反射部に置き換えた照明装置の構成を示す図である。
【図１０】本実施の形態の照明ユニットをドアミラーに適用した例を示す図である。
【図１１】本実施の形態の照明ユニットにおける導光体部の側方断面図である。
【図１２】従来の導光体を用いた照明装置の構成を示す概略図である。
【図１３】従来の導光体を用いた照明装置をケースに収納した状態を示す図である。
【図１４】従来の照明ユニットの適用例を示す図である。
【符号の説明】
【００７８】
１００  照明ユニット
１１０  導光体
１１０Ａ，１１０Ｄ  導光体左側部
１１０Ｂ，１００Ｃ  導光体右側部
１１１  凹部
１２１，１２２  導入部
１３０，１３１，１３２  光源
１４０  ケース
１４１  張り出し部
１５０  反射部
２００  部品
３００  ドアミラー
【図１】
2011129250.tif 000003
【図２】
2011129250.tif 000004
【図３】
2011129250.tif 000005
【図４】
2011129250.tif 000006
【図５】
2011129250.tif 000007
【図６】
2011129250.tif 000008
【図７】
2011129250.tif 000009
【図８】
2011129250.tif 000010
【図９】
2011129250.tif 000011
【図１０】
2011129250.tif 000012
【図１１】
2011129250.tif 000013
【図１２】
2011129250.tif 000014
【図１３】
2011129250.tif 000015
【図１４】
2011129250.tif 000016